(57)【要約】【課題】共用空間に配管が配置されている建物において前記共用空間を有効に活用できるようにすること。【解決手段】住居空間と該住居空間に水平方向に隣接する共用空間とを備え、該共用空間にこれを上下方向に貫く少なくとも１つの配管が配置されている建物の構造は、前記住居空間と前記共用空間とを隔てる壁と、該壁の幅方向における両端部に位置する柱と、該柱間の梁であって前記壁の上に位置する第１部分と、該第１部分から前記共用空間側へ間隔を置かれた、前記第１部分に平行な第２部分とからなる梁とを含み、該梁は前記第１部分と前記第２部分との間に前記配管を受け入れている。【選択図】図１
2009197449.tif 000002
【特許請求の範囲】
【請求項１】
住居空間と該住居空間に水平方向に隣接する共用空間とを備え、該共用空間にこれを上下方向に貫く少なくとも１つの配管が配置されている建物の構造であって、前記住居空間と前記共用空間とを隔てる壁と、該壁の幅方向における両端部に位置する柱であって平面で見て中心が前記壁の中心より前記共用空間側に位置する柱と、該柱間の梁であって前記壁の上にあって該壁の幅方向に伸びる第１部分と、該第１部分から前記共用空間側へ間隔を置かれた、前記第１部分に平行な第２部分とからなる梁とを含み、該梁は前記第１部分と前記第２部分との間に前記配管を受け入れている、建物の構造。
【請求項２】
前記梁の前記第２部分の下端面は前記第１部分の下端面より高い位置にある、請求項１に記載の建物の構造。
【請求項３】
前記共用空間に、前記配管を収容する空間を規定する隔壁が設けられており、該隔壁は、前記梁の前記第２部分の下にあって前記壁に平行な第１隔壁部分と、該第１隔壁部分と前記壁との間にあって前記第１隔壁部分及び前記壁に垂直な第２隔壁部分とからなり、前記第１隔壁部分は、前記壁の幅より短い幅を有し、前記第１隔壁部分の幅方向における一端部が前記柱に接続されており、前記第２隔壁部分は、該第２隔壁部分の幅方向における一端部が前記第１隔壁部分の他端部に接続され、他端部が前記壁に接続されている、請求項１に記載の建物の構造。
【発明の詳細な説明】
【技術分野】
【０００１】
本発明は、建物の構造に関する。
【背景技術】
【０００２】
従来、建物には、住居空間と、これに水平方向に隣接する共用空間とを備え、該共用空間に、これを上下方向に貫通する、水回りのための配管を有するものがある（特許文献１参照）。図４に示すように、従来の建物１００は、住居空間１０２と共用空間１０４とを隔てる壁１０６と、該壁の両端部に位置する柱１０８と、該柱間にあって壁１０６の上方に位置する梁１１０とを有し、配管１１２は梁１１０に隣接して配置されている。
【特許文献１】特開平７−２７９４４９号公報
【発明の開示】
【発明が解決しようとする課題】
【０００３】
ところで、共用空間１０４において梁１１０の側方に位置する領域は人の通行に利用される。しかし、前記領域に配管１１２が存在し、前記領域の全部を人の通行に利用することができない。このため、共用空間１０４を有効に活用することができない。
【０００４】
本発明の目的は、共用空間に配管が配置されている建物において前記共用空間を有効に活用できるようにすることである。
【課題を解決するための手段】
【０００５】
本発明は、住居空間と共用空間とを隔てる壁の上方に位置する梁が、間隔を置かれた、互いに平行な第１部分及び第２部分からなり、前記第１部分と前記第２部分との間に配管を受け入れる。これにより、前記共用空間において前記梁の側方に位置する領域の全部を人の通行に利用できるようにし、前記共用空間を有効に活用できるようにする。
【０００６】
本発明に係る、住居空間と該住居空間に水平方向に隣接する共用空間とを備え、該共用空間にこれを上下方向に貫く少なくとも１つの配管が配置されている建物の構造は、前記住居空間と前記共用空間とを隔てる壁と、該壁の幅方向における両端部に位置する柱であって平面で見て中心が前記壁の中心より前記共用空間側に位置する柱と、該柱間の梁であって前記壁の上にあって該壁の幅方向に伸びる第１部分と、該第１部分から前記共用空間側へ間隔を置かれた、前記第１部分に平行な第２部分とからなる梁とを含み、該梁は前記第１部分と前記第２部分との間に前記配管を受け入れている。
【０００７】
前記梁が、間隔を置かれた前記第１部分及び前記第２部分からなり、前記第１部分と前記第２部分との間に前記配管を受け入れているため、前記共用空間において前記梁の側方に位置する領域に前記配管が存在することはない。このため、前記領域の全部を人の通行に利用することができ、前記共用空間を有効に活用することができる。
【０００８】
前記梁の前記第２部分の下端面は前記第１部分の下端面より高い位置にあるものとすることができる。ところで、前記梁の前記第２部分の下端面が前記第１部分の下端面と同じ高さに位置する場合、前記共用空間から前記住居空間に向かう光が前記梁の前記第２部分により遮られることによって、前記住居空間に前記光を効率的に取り入れることができない恐れがある。これに対して、前記梁の前記第２部分の下端面が前記第１部分の下端面より高い位置にある場合、前記梁の前記第２部分により前記光が遮られないようにすることができ、前記住居空間に前記光を効率的に取り入れることができる。
【０００９】
前記共用空間に、前記配管を収容する空間を規定する隔壁が設けられている。前記隔壁は、前記梁の前記第２部分の下にあって前記壁に平行な第１隔壁部分と、該第１隔壁部分と前記壁との間にあって前記第１隔壁部分及び前記壁に垂直な第２隔壁部分とからなり、前記第１隔壁部分は、前記壁の幅より短い幅を有し、前記第１隔壁部分の幅方向における一端部が前記柱に接続されており、前記第２隔壁部分は、該第２隔壁部分の幅方向における一端部が前記第１隔壁部分の他端部に接続され、他端部が前記壁に接続されている。
【発明の効果】
【００１０】
本発明によれば、住居空間と共用空間とを隔てる壁の両端部に位置する柱間の梁が、前記壁の上の第１部分と、該第１部分から前記共用空間側へ間隔を置かれた第２部分とからなり、前記第１部分と前記第２部分との間に配管を受け入れている。このため、前記共用空間において前記梁の側方に位置する領域に前記配管が存在することはなく、前記領域の全部を人の通行に利用することができ、前記共用空間を有効に活用することができる。
【発明を実施するための最良の形態】
【００１１】
図１に示すように、住居空間１０と、これに水平方向に隣接する共用空間１２とを備える建物１４が存在する。共用空間１２に、該共用空間を上下方向に貫く、浴室、台所等の水回りのための少なくとも１つの配管１６が配置されている。
【００１２】
建物１４は、住居空間１０と共用空間１２とを隔てる壁１８と、該壁の厚さ方向と直交する幅方向（図１における左右方向）において壁１８の両端部に位置する柱２０と、該柱間の梁２２とを含む。柱２０は、平面で見て中心が壁１８の中心より共用空間１２側に位置する。柱２０に、壁１８の厚さ方向（図１における上下方向）に伸びる他の梁２４が接続されている。壁１８、柱２０及び梁２２、２４のそれぞれは鉄筋コンクリートからなる。
【００１３】
梁２２は、壁１８の上にあって該壁の幅方向に伸びる第１部分２６と、該第１部分から共用空間１２側へ間隔を置かれた、第１部分２６に平行な第２部分２８とからなる。梁２２は第１部分２６と第２部分２８との間に配管１６を受け入れている。
【００１４】
梁２２が、間隔を置かれた第１部分２６及び第２部分２８からなるため、梁２２の第１部分２６と第２部分２８との間に、配管１６を配置するスペースを確保することができる。このため、梁２２の第１部分２６と第２部分２８との間に配管１６を配置することにより、配管１６が従来配置されていた位置、すなわち共用空間１２において平面で見て梁２２の側方に位置する領域の一部から配管１６を無くすことができる。これにより、前記領域の全部を人の通行に利用することができる。また、梁２２の第１部分２６と第２部分２８との間に配管１６を配置することにより、梁２２の第２部分２８の下の空間が該第２部分の全長に亘って利用可能となる。このため、共用空間１２を有効に活用することができる。
【００１５】
なお、他の梁２４は、図１に示した例では、１つの本体からなる従来の梁であるが、これに代え、梁２２と同様に、間隔を置かれた第１部分及び第２部分からなるものでもよい。
【００１６】
共用空間１２に、配管１６を収容する空間を規定する隔壁３０が設けられている。隔壁３０は、梁２２の第２部分２８の下にあって壁１８に平行な第１隔壁部分３２と、該第１隔壁部分と壁１８との間にあって第１隔壁部分３２及び壁１８に垂直な第２隔壁部分３４とからなる。第１隔壁部分３２は、壁１８の幅より短い幅を有する。第１隔壁部分３２の幅方向における一端部は柱２０に接続されている。第２隔壁部分３４の幅方向における一端部は第１隔壁部分３２の他端部に接続されており、第２隔壁部分３４の幅方向における他端部は壁１８に接続されている。
【００１７】
ところで、仮に、配管１６を、共用空間１２にではなく、住居空間１０に配置した場合、配管１６により住居空間１０が狭くなり、住居空間１０を有効に利用することができない。また、住居空間１０内の間取りを変更するとき、配管１６の制約を受けて前記間取りの変更を自由に行うことができない。このため、配管１６は、住居空間１０に配置することはせず、共用空間１２に配置されている。
【００１８】
図２に示すように、柱２０間に複数の梁２２が上下方向に間隔を置いて配置されている。住居空間１０及び共用空間１２のそれぞれに床スラブ３６が配置されている。住居空間１０に配置された床スラブ３６は梁２２の第１部分２６に接続され、共用空間１２に配置された床スラブ３６は梁２２の第２部分２８に接続されている。床スラブ３６は梁２２に支持されている。
【００１９】
住居空間１０に配置された床スラブ３６上に、該床スラブから間隔を置いて床板３８が配置されている。床スラブ３６と床板３８との間に、配管１６から浴室、台所等へ水平方向に伸びる枝管４０が配置されている。共用空間１２に配置された床スラブ３６は、廊下、ベランダ等として利用される。壁１８に窓４２が設けられており、該窓を経て共用空間１２から住居空間１０へ光４４を取り入れる。
【００２０】
なお、図２に示した例では、上下方向に間隔を置いて配置された複数の梁２２のそれぞれが等しい梁成を有するが、これに代え、梁２２のうち少なくとも１つの梁（図示せず）が他の梁（図示せず）と異なる梁成を有していてもよい。これにより、前記少なくとも１つの梁の剛性を前記他の梁の剛性と異なるものとすることができ、建物１４の剛性や振動特性を変更することができる。また、前記少なくとも１つの梁の梁成を前記他の梁の梁成より低くした場合、前記少なくとも１つの梁の下の空間を前記他の梁の下の空間より広くすることができ、前記少なくとも１つの梁の下の空間を有効に利用することができる。
【００２１】
上下方向に間隔を置いて配置された複数の梁２２のそれぞれが、間隔を置かれた第１部分２６及び第２部分２８からなる図２に示した例に代え、梁２２のうち少なくとも１つの梁（図示せず）が第１部分２６のみからなるものでもよい。ただし、梁２２の全てが第１部分２６のみからなる場合を除く。これにより、前記少なくとも１つの梁の剛性を他の梁の剛性と異なるものとすることができ、建物１４の剛性や振動特性を変更することができる。また、前記少なくとも１つの梁が第２部分を有しないため、前記少なくとも１つの梁の側方に位置する共用空間を広くすることができる。
【００２２】
梁２２の第２部分２８の下端面４６は、図２に示した例では、第１部分２６の下端面４８と同じ高さに位置するが、これに代え、図３に示した例では、第１部分２６の下端面４８より高い位置にある。
【００２３】
図２に示した例では、梁２２が外力に対して十分な強度を備えるようにするため、梁２２の第１部分２６及び第２部分２８の双方が大きい高さ寸法を有し、第１部分２６の下端面４８及び第２部分２８の下端面４６の双方が低い位置にある。このため、梁２２の第２部分２８により光４４が遮られ、住居空間１０へ効率良く採光することができない恐れがある。
【００２４】
図３に示した例では、梁２２の第２部分２８の下端面４６が第１部分２６の下端面４８より高い位置にあるため、梁２２の第２部分２８の高さ寸法を小さくしても、第１部分２６の高さ寸法を大きくすることにより、梁２２が外力に対して十分な強度を備えることができる。このため、梁２２の強度を損ねることなく梁２２の第２部分２８の下端面４６の位置を高くすることができる。これにより、梁２２の第２部分２８によって光４４が遮られることがないようにすることができ、住居空間１０へ効率良く採光することができる。
【図面の簡単な説明】
【００２５】
【図１】本発明に係る建物の水平断面図。
【図２】図１の線２における建物の縦断面図。
【図３】本発明の他の実施例に係る建物の縦断面図。
【図４】従来の建物の水平断面図。
【符号の説明】
【００２６】
１０    住居空間
１２    共用空間
１４    建物
１６    配管
１８    壁
２０    柱
２２    梁
２６    第１部分
２８    第２部分
３０    隔壁
３２    第１隔壁部分
３４    第２隔壁部分
【図１】
2009197449.tif 000003
【図２】
2009197449.tif 000004
【図３】
2009197449.tif 000005
【図４】
2009197449.tif 000006